(57)【要約】      （修正有）【課題】良好な可撓性を有する放射線検出装置を提供する。【解決手段】可撓部３０に、被検体を透過した放射線を検出して信号電荷に変換する各画素が形成される行列配置のスイッチング素子のアレイを有する放射線検出回路部１０が配置され、剛性部３４に、スイッチング素子を駆動する駆動回路と画素からの信号電荷を読み出す信号読み出し回路を有する制御回路部６２が配置される構成とする。このように構成すれば、被写体１４に接触される可撓部３０においていわゆるディスクリート部品が配置されることがなく良好な可撓性が得られる。【選択図】図１
2010075605.tif 000002
【特許請求の範囲】
【請求項１】
可撓部と、剛性部とに分割された放射線検出装置であって、
前記可撓部に、一方の信号電極に信号線が接続され、ゲート電極にゲート線が接続され、他方の信号電極に、被写体を透過した放射線を検出して信号電荷に変換する各画素が形成される行列配置のスイッチング素子のアレイを有する放射線検出回路部が配置され、
前記剛性部に、前記ゲート線を通じて前記スイッチング素子を駆動するゲート駆動回路と、駆動された前記スイッチング素子から前記信号線を通じて供給される前記画素からの信号電荷を読み出す信号読出回路と、を有する制御回路部が配置される
ことを特徴とする放射線検出装置。
【請求項２】
請求項１記載の放射線検出装置において、
前記可撓部は四角形状とされ、前記剛性部は前記四角形状の一辺部側又は対向する両辺部側に設けられる
ことを特徴とする放射線検出装置。
【請求項３】
請求項１又は２記載の放射線検出装置において、
前記信号読出回路には、前記信号電荷をデジタル信号に変換するＡ／Ｄ変換器が含まれ、
前記制御回路部には、前記ゲート駆動回路及び前記信号読出回路の他、さらに、前記デジタル信号を格納する画像メモリと、さらに、前記画像メモリから読み出されたデジタル信号を無線信号として送出する送受信機又は当該放射線検出装置全体に電気を供給するバッテリの少なくとも一方と、が配置される
ことを特徴とする放射線検出装置。
【発明の詳細な説明】
【技術分野】
【０００１】
この発明は、被写体を透過した放射線を検出し、検出した前記放射線を放射線画像情報を持つ信号電荷に変換する放射線検出装置に関する。
【背景技術】
【０００２】
医療分野において、被写体に放射線を照射し、該被写体を透過した前記放射線を放射線検出器に導いて放射線画像情報を撮影する放射線画像撮影システムが広汎に使用されている。前記放射線検出器としては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。これらの放射線検出器は、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術室等においては、患者に対して迅速且つ的確な処置を施すため、撮影後の放射線検出器から直ちに放射線画像情報を読み出して表示できることが必要である。このような要求に対応可能な放射線検出器として、放射線を直接電気信号に変換し、あるいは、放射線をシンチレータで可視光に変換した後、電気信号に変換して読み出す固体検出素子を用いた放射線検出器が開発されている。
【０００４】
特許文献１には、この固体検出素子を用いたカセッテ型の放射線検出装置が提案されている。
【０００５】
しかしながら、カセッテ型であるため、全体として剛性体であることから患者の表面形状に整合させることができない。
【０００６】
特許文献２には、患者の表面形状に整合させることが可能な可撓性を有する放射線検出装置が提案されている。
【０００７】
【特許文献１】特開２００３−１７２７８３号公報
【特許文献２】特開２００３−７０７７６号公報
【発明の開示】
【発明が解決しようとする課題】
【０００８】
しかしながら、特許文献２に開示された放射線検出装置では、可撓性を有する方向に駆動回路が配置されているので、十分な可撓性を得ることができない。
【０００９】
この発明は、このような課題を考慮してなされたものであり、良好な可撓性が得られる放射線検出装置を提供することを目的とする。
【課題を解決するための手段】
【００１０】
この発明に係る放射線検出装置は、可撓部と、剛性部とに分割された放射線検出装置であって、前記可撓部に、一方の信号電極に信号線が接続され、ゲート電極にゲート線が接続され、他方の信号電極に、被写体を透過した放射線を検出して信号電荷に変換する各画素が形成される行列配置のスイッチング素子のアレイを有する放射線検出回路部が配置され、前記剛性部に、前記ゲート線を通じて前記スイッチング素子を駆動するゲート駆動回路と、駆動された前記スイッチング素子から前記信号線を通じて供給される前記画素からの信号電荷を読み出す信号読出回路と、を有する制御回路部が配置される構成を有する。
【００１１】
この場合、前記可撓部は四角形状とされ、前記剛性部は前記四角形状の一辺部側又は対向する両辺部側に設けられることが好ましい。
【００１２】
また、前記信号読出回路には、前記信号電荷をデジタル信号に変換するＡ／Ｄ変換器が含まれ、前記制御回路部には、前記ゲート駆動回路及び前記信号読出回路の他、さらに、前記デジタル信号を格納する画像メモリと、さらに、前記画像メモリから読み出されたデジタル信号を無線信号として送出する送受信機又は当該放射線検出装置全体に電気を供給するバッテリの少なくとも一方と、が配置されることが好ましい。
【発明の効果】
【００１３】
この発明によれば、可撓部に放射線検出回路部を配置し、剛性部に放射線検出回路部のスイッチング素子を駆動するゲート駆動回路と前記スイッチング素子を通じて前記放射線検出回路部の画素から供給される信号電荷を読み出す信号読出回路を配置するように構成したので、前記放射線検出回路部、すなわち可撓部においていわゆるディスクリート部品が配置されることがなく良好な可撓性が得られ、その可撓部が被写体の表面形状に沿うように放射線検出装置を配することができる。
【発明を実施するための最良の形態】
【００１４】
図１は、この実施形態に係る無線式の放射線検出装置１１が適用された放射線画像撮影システム１２の構成ブロック図である。
【００１５】
放射線画像撮影システム１２は、例えば、手術室内等に配置され、基本的には、撮影条件に従った線量からなる放射線Ｒを患者等の被写体１４に照射するための放射線源１６と、被写体１４を透過した放射線Ｒを検出する放射線検出装置１１と、放射線検出装置１１によって検出された放射線Ｒに基づく放射線画像情報を表示する表示装置１８と、放射線検出装置１１、放射線源１６及び表示装置１８を制御するコンソール（制御装置）２０とを備える。
【００１６】
コンソール２０と、放射線検出装置１１、放射線源１６及び表示装置１８との間は、無線通信による信号の送受信が行われる。
【００１７】
なお、コンソール２０には、病院内の放射線科において取り扱われる放射線画像情報やその他の情報を統括的に管理する放射線科情報システム（ＲＩＳ）２２が院内通信網を介して接続され、ＲＩＳ２２には、病院内の医事情報を統括的に管理する医事情報システム（ＨＩＳ）２４が前記院内通信網を介して接続される。
【００１８】
放射線検出装置１１は、寝台２６、例えば、手術台上に配されたマットレス２８と被写体１４との間に介装される。放射線検出装置１１は、長さ方向ｙに可撓性を有しているので、マットレス２８上で被写体１４の自重により被写体１４の表面形状に沿って湾曲する。このように、放射線検出装置１１は、柔軟性があるので、被写体１４に痛みを与えることなく、寝台撮影に適している。
【００１９】
図２に示すように、放射線検出装置１１は、主面が四角形状とされ、この四角形の大きさの可撓性（柔軟性）を有する樹脂製の基板４０を含めて構成される長さ方向ｙの中央部の薄くて可撓性（柔軟性）のある可撓部３０と、長さ方向ｙの両辺部（両端部）の厚くて剛性のある剛性部３２、３４とが設けられた構成とされている。剛性部３２、３４は、硬質の樹脂により形成される。
【００２０】
中空でないソリッドの一方の剛性部３２には、開口により把手３３が設けられている。他方の剛性部３４は、後述する制御回路部６２の回路部品が実装される中空部を有する角筒状の構造とされ、角筒の長さ方向両端の開口は蓋３６により閉じられ、剛性部３４の中空部は密封状態にされている。剛性部３４の基板４０と接している面の大部分は開口３７とされ、この開口３７を通じて前記中空部内に、前記回路部品が実装される。
【００２１】
このように、放射線検出装置１１は、可撓性を有する長さ方向ｙの両辺部に剛性部３２、３４が設けられているので、長さ方向（可撓性方向ともいう。）ｙに可撓性を有し、この長さ方向ｙに直交する幅方向（剛性方向）ｘに剛性を有する。
【００２２】
図３は、図２のＩＩＩ−ＩＩＩ線一部省略断面図を示している。図３から分かるように、剛性部３２と、図３では図示していない剛性部３４との上に厚みのあるシート状の放射線検出回路部１０が架け渡された構成とされている。
【００２３】
放射線検出回路部１０は、放射線検出装置１１の全面の大きさに対応する大きさの基板４０を有し、基板４０の裏面側の両端部（対向する両辺部）に剛性部３２、３４が取り付けられている。
【００２４】
基板４０の表面側に、被写体１４（図１参照）を透過した放射線Ｒを可視光に変換するシンチレータ５２と、行列状に形成され一方の信号電極に信号線６６（図６参照）が接続されゲート電極にゲート線６４（図６参照）が接続される薄膜トランジスタ（ＴＦＴ：Ｔｈｉｎ  Ｆｉｌｍ  Ｔｒａｎｓｉｓｔｏｒ）６８（図６参照）のアレイを含み放射線Ｒ及び可視光を透過可能なＴＦＴ層４８と、前記ＴＦＴ６８（図６参照）の他方の信号電極上にそれぞれ形成されアモルファスシリコン（ａ−Ｓｉ）等の物質からなる固体検出素子（以下、画素という。）５０（図６参照）を用いて前記可視光を信号電荷である電気信号に変換する光電変換層４６と、被写体１４による放射線Ｒの散乱線を除去するグリッド４２と、樹脂製の保護膜層４１と、が順に設けられる。保護膜層４１側から放射線Ｒが照射され、シンチレータ５２によって放射線Ｒが変換された前記可視光が前記画素５０により信号電荷（電気信号）に変換され当該画素５０に蓄積される。
【００２５】
なお、シンチレータ５２は、図４に示すように、グリッド４２と光電変換層４６との間に介装してもよい。
【００２６】
また、画素５０としては、ａ−Ｓｉに代替して、温度許容範囲はａ−Ｓｉより狭いがアモルファスセレン（ａ−Ｓｅ）等の物質からなる光電変換層を行列状のＴＦＴ６８のアレイ上に配置した構成に代替することができる。この場合、シンチレータ５２は不要である。
【００２７】
さらに、スイッチング素子として機能するＴＦＴ６８は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００２８】
図３において、放射線検出回路部１０の保護膜層４１の表面は放射線Ｒの照射面５６とされている。
【００２９】
基板４０は、放射線吸収率の高い材料、例えばタングステンの粉末を混合して構成することが好ましい。この構成により、より詳しく説明すると、タングステンの粉末が混合された基板４０が放射線検出装置１１の裏面側の全面をカバーする構成とすることにより、放射線検出装置１１からのバック散乱が防止されるとともに、剛性部３４の中空部内に配置される制御回路部６２（図２参照）に搭載される回路部品の放射線Ｒによる損傷が防止される。なお、剛性部３４の表面をカバーする鉛製の板を剛性部３４の表面に張り付けることにより制御回路部６２に搭載される回路部品の放射線Ｒによる損傷を一層防止することができる。
【００３０】
図５は、放射線検出装置１１の実体配線構成図を示している。
【００３１】
図６は、放射線検出装置１１の回路図を示している。
【００３２】
図５から分かるように、放射線検出装置１１は、全体が四角形状とされ、可撓性を有する方向ｙの両端部側が剛性部３２、３４とされ、剛性部３２、３４間の四角形板状部分が可撓部３０とされている。
【００３３】
可撓部３０には、放射線検出回路部１０が配置され、剛性部３２、３４中、一方の剛性部３４には、制御回路部６２が配置される。
【００３４】
可撓部３０に配置された放射線検出回路部１０は、上述したように、行列状に画素５０が配置され、さらに、図５、図６に示すように、各画素５０に信号電極の一方が接続され他方の信号電極に信号線６６が接続されゲート電極にゲート線６４が接続されたゲート素子であるＴＦＴ６８と、を有する。なお、図５において、ＴＦＴ６８は、○印で描いている。
【００３５】
図５、図６に示すように、制御回路部６２は、ゲート線６４を通じてＴＦＴ６８を駆動するゲート駆動回路７３と、駆動されたＴＦＴ６８及び信号線６６を通じて供給される信号電荷を読み出す信号読出回路９３と、画素５０にバイアス線７２を通じてバイアス電圧を与えるバイアス回路７４とを含む駆動回路１１０と、放射線検出装置１１の電源であるバッテリ９２と、バッテリ９２から供給される電力により放射線検出装置１１全体を駆動制御する制御部１００と、放射線検出回路部１０によって検出され信号読出回路９３により読み出され画像メモリ９６に格納された放射線Ｒの情報を含む信号をコンソール２０との間で送受信する送受信機（無線通信手段）１０２と、が配置される。
【００３６】
なお、制御回路部６２の一部は、分割して他方の剛性部３２側に配置してもよい。例えば、他方の剛性部３２に制御回路部６２中、信号読出回路９３を配置してもよい。
【００３７】
図６に示すように、信号読出回路９３は、各信号線６６に対して直列に接続される、それぞれが集積回路からなる積分増幅器８２と、サンプルホールド回路８４と、マルチプレクサ７６を構成するＦＥＴ（電界効果トランジスタ）スイッチ７８と、を有し、さらに、ＦＥＴスイッチ７８の出力側が共通接続され信号線８８を通じて接続されるＡ／Ｄ変換器９０と、から構成される。
【００３８】
マルチプレクサ駆動回路７９は、マルチプレクサ７６を構成する各ＦＥＴスイッチ７８を信号線６６毎｛行方向（幅方向ｘ）毎｝に順次駆動（オン）する。
【００３９】
ゲート駆動回路７３は、一端がゲート線６４に接続され他端が共通接続され抵抗器を介して電圧Ｖｃｃに接続されるＦＥＴスイッチ７１からなるゲートＩＣ６９と、ゲートＩＣ６９を構成する各ＦＥＴスイッチ７１（のゲート電極）を駆動するゲートＩＣ駆動回路７０とから構成される。なお、ゲートＩＣ６９のＦＥＴスイッチ７１のＴＦＴ６８側の信号電極には、すなわちゲート線６４には、それぞれ接地との間にプルダウン抵抗器が接続される。
【００４０】
ゲートＩＣ駆動回路７０によりＦＥＴスイッチ７１がオン状態にされると、そのゲート線６４に接続された列方向（長さ方向ｙ）に並ぶＴＦＴ６８が駆動されオン状態とされる。
【００４１】
制御部１００には、ゲートＩＣ駆動回路７０及びマルチプレクサ駆動回路７９にアドレス信号を供給するアドレス信号発生回路９４と、Ａ／Ｄ変換器９０によりＡ／Ｄ変換された画素５０毎のデジタル信号を格納する画像メモリ９６と、当該放射線検出装置１１を特定するための識別符号である検出装置ＩＤ情報を格納するＩＤメモリ９８が設けられている。
【００４２】
上述したように、各画素５０では、可視光を電気信号に変換することにより発生した信号電荷が蓄積され、幅方向ｘの各列毎にＴＦＴ６８を順次オンにする一方、マルチプレクサ７６のＦＦＴスイッチ７８を各行毎に順次オンすることにより前記信号電荷を画像信号として読み出すことができる。
【００４３】
制御部１００に接続される送受信機１０２は、ＩＤメモリ９８に記憶された検出装置ＩＤ情報及び画像メモリ９６に記憶された放射線画像情報をまとめて無線通信によりコンソール２０に送信する。
【００４４】
この実施形態に係る放射線検出装置１１及び放射線画像撮影システム１２は、以上のように構成されるものであり、次にその動作について説明する。
【００４５】
放射線画像撮影システム１２は、手術室等に設置され、例えば、医師による被写体１４（患者）の施術中において、放射線画像の撮影が必要となった際に使用される。そのため、撮影対象である被写体１４の患者情報は、撮影に先立ち、コンソール２０に予め登録される。撮影部位や撮影方法が予め決まっている場合には、これらの撮影条件も予めコンソール２０に登録しておく。以上の準備作業が終了した状態において、被写体１４に対する施術が遂行される。
【００４６】
施術中において放射線画像の撮影を行う場合、医師又は担当する放射線技師は、被写体１４と寝台２６上のマットレス２８との間の所定位置に、放射線検出装置１１の照射面５６（図３、図４参照）を放射線源１６側とした状態で放射線検出装置１１を設置する。
【００４７】
次いで、放射線源１６を放射線検出回路部１０に対向する位置に移動させた後、図示しない撮影スイッチを操作して撮影を行う。
【００４８】
この場合、放射線源１６は、コンソール２０より当該被写体１４の撮影部位に係る撮影条件を無線通信により取得し、取得した撮影条件に従って放射線源１６内の線量調整部を制御することにより、所定の線量からなる放射線Ｒを被写体１４に照射する。
【００４９】
被写体１４を透過した放射線Ｒは、放射線検出回路部１０に照射され、放射線検出回路部１０のグリッド４２によって散乱線が除去された後、放射線検出回路部１０を構成する各画素５０によって電気信号に変換され、電荷（信号電荷）として保持される。次いで、各画素５０に保持された被写体１４の放射線画像情報である信号電荷は、制御部１００を構成するアドレス信号発生回路９４からゲートＩＣ駆動回路７０及び及びマルチプレクサ駆動回路７９に供給されるアドレス信号に従って読み出される。
【００５０】
すなわち、ゲートＩＣ駆動回路７０は、アドレス信号発生回路９４から供給されるアドレス信号に従って選択信号を出力して対応するＦＥＴスイッチ７１をオンしてゲート線６４を選択し、該ゲート線６４に接続されたＴＦＴ６８のゲート電極にオン信号を供給する。一方、マルチプレクサ駆動回路７９は、アドレス信号発生回路９４から供給されるアドレス信号に従って選択信号を出力してマルチプレクサ７６を構成するＦＥＴスイッチ７８を順次切り替え、ゲートＩＣ駆動回路７０によって選択されたゲート線６４に接続された各画素５０に保持された放射線画像情報としての信号電荷を信号線６６を介して順次読み出す。
【００５１】
各画素５０から読み出された放射線画像情報としての信号電荷は、各積分増幅器８２によって増幅された後、各サンプルホールド回路８４によってサンプリングされ、マルチプレクサ７６（ＦＥＴスイッチ７８）を介し信号線８８を通じてＡ／Ｄ変換器９０に供給され、Ａ／Ｄ変換器９０によりデジタル信号に変換される。デジタル信号に変換された放射線画像情報は、制御部１００の画像メモリ９６に一旦記憶される。
【００５２】
同様にして、ゲートＩＣ駆動回路７０は、アドレス信号発生回路９４から供給されるアドレス信号に従ってゲート線６４に接続されたＴＦＴ６８を順次切り替え、各画素５０に保持された電荷情報である放射線画像情報としての信号電荷を信号線６６を介して読み出し、積分増幅器８２、サンプルホールド回路８４、マルチプレクサ７６、信号線８８及びＡ／Ｄ変換器９０を介して制御部１００の画像メモリ９６に記憶させる。
【００５３】
画像メモリ９６に記憶された放射線画像情報は、送受信機１０２を介して無線通信によりコンソール２０に送信される。コンソール２０に送信された放射線画像情報は、当該コンソール２０の図示しない送受信機によって受信され、図示しない画像処理部において所定の画像処理が施された後、コンソール２０に登録されている被写体１４の患者情報と関連付けられた状態でコンソール２０の画像メモリに記憶される。
【００５４】
コンソール２０内で所定の画像処理の施された放射線画像情報は、コンソール２０から表示装置１８に送信され、放射線画像情報を受信した表示装置１８は、放射線画像を表示する。
【００５５】
図示しない医師は、表示装置１８に表示された放射線画像を確認しながら施術を遂行する。
【００５６】
この場合、放射線画像撮影システム１２では、放射線検出装置１１とコンソール２０との間、放射線源１６とコンソール２０との間、及び、コンソール２０と表示装置１８との間は無線により通信されることから、信号を送受信するためのケーブルが連結されていないため、例えば、手術室等の床面にこれらのケーブルが配設されることがなく、医師等の作業に支障を来すおそれがない。
【００５７】
以上説明したように上述した実施形態に係る放射線検出装置１１は、可撓部３０と、剛性部３４とに分割され、可撓部３０に、一方の信号電極に信号線６６が接続され、ゲート電極にゲート線６４が接続され、他方の信号電極に、被写体１４を透過した放射線Ｒを検出して信号電荷に変換する各画素５０が形成される行列配置のＴＦＴ６８のアレイを有する放射線検出回路部１０が配置され、剛性部３４に、ゲート線６４を通じてＴＦＴ６８を駆動するゲート駆動回路７３と、駆動されたＴＦＴ６８及び信号線６６を通じて供給される信号電荷を読み出す信号読出回路９３と、が配置される構成を有する。
【００５８】
このように、可撓部３０に放射線検出回路部１０を配置し、剛性部３４に放射線検出回路部１０のＴＦＴ６８を駆動するゲート駆動回路７３とＴＦＴ６８を通じて放射線検出回路部１０の画素５０から供給される信号電荷を読み出す信号読出回路９３を備える制御回路部６２を配置するように構成したので、シート状の放射線検出回路部１０、すなわち被写体１４に接触される可撓部３０においていわゆるディスクリート部品が配置されることがなく良好な可撓性が得られ、その可撓部３０が被写体１４の表面形状に沿うように放射線検出装置１１を配することができる。
【００５９】
この場合、信号読出回路９３には、各画素５０から信号線６６、８８を通じて供給される前記信号電荷をデジタル信号に変換するＡ／Ｄ変換器９０が含まれ、剛性部３４には、ゲート駆動回路７３及び信号読出回路９３の他、さらに、前記デジタル信号を格納する画像メモリ９６と、画像メモリ９６から読み出されたデジタル信号を無線信号として送出する送受信機１０２と、放射線検出装置１１全体に電気を供給するバッテリ９２と、が配置されている。これにより一方向である長さ方向ｙに可撓性を有する携帯可能な無線式の放射線検出装置１１を提供することができる。ただし、信号読出回路９３には、送受信機１０２及びバッテリ９２の両方を配置するのではなく、送受信機１０２（無線式ではなく、有線式になる。）又はバッテリ９２の少なくとも一方を配置するように構成を変更してもよい。例えば、バッテリ９２の方を配置することで、一方向に可撓性を有し携帯可能でバッテリ駆動できる放射線検出装置を提供することができる。送受信機１０２の方を配置することで、一方向に可撓性を有し携帯可能で外部電源により動作可能なより軽量の無線式の放射線検出装置を提供することができる。
【００６０】
図７、図８は、さらに他の実施形態に係る放射線検出装置１１Ａの、それぞれ実体配線構成図と、回路図を示している。
【００６１】
この放射線検出装置１１Ａにおいても、全体が四角形状とされ、可撓性を有する方向ｙの両端部側が剛性部３２、３４とされ、剛性部３２、３４間の四角形板状部分が可撓部３０とされている。
【００６２】
可撓部３０には、放射線検出回路部１０Ａが配置され、剛性部３２、３４中、一方の剛性部３４には、制御回路部６２が配置される。剛性部３４に配置された図７、図８例の放射線検出装置１１Ａの制御回路部６２の構成は、上述した図５、図６例の放射線検出装置１１の制御回路部６２の構成と同内容であるので、その説明を省略する。
【００６３】
その一方、可撓部３０に配置された放射線検出回路部１０Ａは、行列状に画素５０が配置され、さらに、各画素５０に信号電極の一方が接続され他方の信号電極に信号線６６が接続されゲート電極にゲート線６４が接続されたゲート素子であるＴＦＴ６８と、を有する点については、放射線検出回路部１０と同一であるが、放射線検出回路部１０Ａでは、特に、信号線６６の全てが可撓性を有する長さ方向ｙに沿って平行に配置されている点で異なる。
【００６４】
信号線６６には、画素５０からアナログ信号の信号電荷が流れることから、アナログ信号に歪を与えないために信号線６６を短く幅広で厚く、換言すれば低インピーダンスで引き回せるように形成している。
【００６５】
実際上、各信号線６６は、信号線８８を含めてＡ／Ｄ変換器９０の入力ポートまでの長さが最短となるように基板４０上での配線パターンとすることが好ましい。
【００６６】
この放射線検出装置１１Ａにおいても、制御回路部６２の一部は、分割して他方の剛性部３２側に配置してもよい。例えば、他方の剛性部３２に制御回路部６２中、信号読出回路９３を配置してもよい。
【００６７】
以上説明したように上述した他の実施形態に係る放射線検出装置１１Ａは、可撓部３０と、剛性部３４とに分割され、可撓部３０に、一方の信号電極に信号線６６が接続され、ゲート電極にゲート線６４が接続され、他方の信号電極に、被写体１４を透過した放射線Ｒを検出して信号電荷に変換する各画素５０が形成される行列配置のＴＦＴ６８のアレイを有する放射線検出回路部１０Ａが配置され、剛性部３４に、ゲート線６４を通じてＴＦＴ６８を駆動するゲート駆動回路７３と、駆動されたＴＦＴ６８及び信号線６６を通じて供給される信号電荷を読み出す信号読出回路９３と、が配置される構成を有する。
【００６８】
そして、可撓部３０の放射線検出回路部１０Ａに配置される各信号線６６を可撓性を有する長さ方向ｙに沿って且つ剛性部３４まで平行に（直線で）パターンニングするように構成したので、当該信号線６６を低インピーダンス（短く、太く、厚くパターンニングすることで達成される。特に、短くすることが重要である。）で可撓部３０から剛性部３４の信号読出回路９３まで引き回すことができる。この構成により、信号線６６を通じて各画素５０から信号読出回路９３まで伝送されるアナログ信号である信号電荷の波形歪や雑音の混入を最小化することができる。放射線画像において、Ｓ／Ｎがよい信号（放射線画像情報）が得られることは診断読影上極めて好ましい。
【００６９】
この図６、図７例の放射線検出装置１１Ａにおいても、シート状に形成された放射線検出回路部１０Ａ、すなわち被写体１４に接触される可撓部３０においていわゆるディスクリート部品が配置されることがなく良好な可撓性が得られ、その可撓部３０が被写体１４の表面形状に沿うように放射線検出装置１１Ａを配することができる。
【００７０】
なお、この発明は、上述した実施形態に限定されるものではなく、この発明の主旨を逸脱しない範囲で自由に変更できることは勿論である。
【００７１】
例えば、上記実施形態では、放射線画像撮影システム１２を施術中に使用して放射線画像を表示装置１８で表示するものとしたが、当該放射線画像撮影システム１２は施術中以外において通常の放射線画像の撮影のみを行う場合にも適用可能であることは言うまでもない。例えば、検診や病院内での回診にも適用することができる。
【００７２】
放射線検出装置１１、１１Ａは、手術室等で使用されるとき、血液やその他の雑菌が付着するおそれがある。そこで、放射線検出装置１１を防水性、密閉性を有する構造とし、必要に応じて殺菌洗浄することにより、１つの放射線検出装置１１を繰り返し続けて使用することができる。
【００７３】
また、放射線検出装置１１、１１Ａと外部機器であるコンソール２０との間での無線通信は、通常の電波による通信に代えて、赤外線等を用いた光無線通信で行うようにしてもよい。
【図面の簡単な説明】
【００７４】
【図１】この実施形態に放射線検出装置を備える放射線画像撮影システムの構成ブロック図である。
【図２】放射線検出装置の斜視図である。
【図３】図２に示す放射線検出装置のＩＩＩ−ＩＩＩ線一部省略断面図である。
【図４】他の実施形態に係る放射線検出装置の一部省略断面図である。
【図５】放射線検出装置の実体配線構成図である。
【図６】放射線検出装置の回路図である。
【図７】さらに他の実施形態に係る放射線検出装置の実体配線構成図である。
【図８】さらに他の実施形態に係る放射線検出装置の回路図である。
【符号の説明】
【００７５】
１０、１０Ａ…放射線検出回路部            １１、１１Ａ…放射線検出装置
１４…被写体                              ３０…可撓部
３４…剛性部                              ４０…基板
５０…画素                                ６２…制御回路部
６４…ゲート線                            ６６…信号線
６８…ＴＦＴ                              ７３…ゲート駆動回路
９０…Ａ／Ｄ変換器                        ９２…バッテリ
９３…信号読出回路                        ９６…画像メモリ
１０２…送受信機
【図１】
2010075605.tif 000003
【図２】
2010075605.tif 000004
【図３】
2010075605.tif 000005
【図４】
2010075605.tif 000006
【図５】
2010075605.tif 000007
【図６】
2010075605.tif 000008
【図７】
2010075605.tif 000009
【図８】
2010075605.tif 000010